【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
表示装置を操作するための、操作卓的に配置された１または複数の操作ボタンを表示する表示部と、
タッチにより情報入力を行うタッチパネルと、
前記操作ボタンの操作に関連したボタン情報を前記表示装置から受信するとともに、前記表示装置を操作するための制御信号を前記表示装置に送信する送受信部と、
前記ボタン情報に基づいて前記操作ボタンの表示を制御する制御部と
を備えた操作端末装置。
【請求項２】
前記ボタン情報は、前記表示装置の状態またはモードに応じて変化するものである
請求項１に記載の操作端末装置。
【請求項３】
前記ボタン情報は、前記操作ボタンに割り当てられた機能を示すものである
請求項２に記載の操作端末装置。
【請求項４】
前記表示装置はテレビ受像機であり、
前記操作ボタンは複数のカラーボタンであり、
前記制御部は、前記機能を前記カラーボタンに表示するように制御する
請求項３に記載の操作端末装置。
【請求項５】
前記操作ボタンは音量調整ボタンであり、
前記ボタン情報は音量の状態を示すものであり、
前記制御部は、前記音量調整ボタンを操作した場合に設定される音量をその音量調整ボタンに表示するように制御する
請求項２に記載の操作端末装置。
【請求項６】
前記表示装置は映像再生機能を有し、
前記操作ボタンは左ボタンおよび右ボタンであり、
前記ボタン情報は再生しているチャプターを示すものであり、
前記制御部は、前記左ボタンおよび右ボタンを操作した場合に移動するチャプターをその左ボタンおよび右ボタンにそれぞれ表示するように制御する
請求項２に記載の操作端末装置。
【請求項７】
前記ボタン情報は、前記操作ボタンの表示または非表示を示すものである
請求項２から請求項６のいずれか一項に記載の操作端末装置。
【請求項８】
前記ボタン情報はＢＭＬで記述されている
請求項２に記載の操作端末装置。
【請求項９】
前記操作端末装置はモバイル端末である
請求項２に記載の操作端末装置。
【請求項１０】
リモートコントロールモードを含む複数の動作モードを有し、
前記リモートコントロールモードにおいて、
前記表示部は、前記１または複数の操作ボタンを表示し、
前記送受信部は、前記ボタン情報を前記表示装置から受信し、
前記制御部は、前記ボタン情報に基づいて前記操作ボタンの表示を制御する
請求項１から請求項９のいずれか一項に記載の操作端末装置。
【請求項１１】
前記表示装置はテレビ受像機であり、
前記操作ボタンは、テレビ放送の規格に対応したものである
請求項１から請求項１０のいずれか一項に記載の操作端末装置。
【請求項１２】
前記ボタン情報は、前記操作ボタンに表示されるラベルを含む
請求項１から請求項１１のいずれか一項に記載の操作端末装置。
【請求項１３】
表示部と、
自らの動作を指示するための制御信号を操作端末装置から受信するとともに、その操作端末装置に操作卓的に配置され表示される操作ボタンを操作するためのボタン情報を送信する送受信部と、
前記ボタン情報を生成するボタン情報生成部と
を備えた表示装置。
【請求項１４】
前記表示装置はテレビ受像機であり、
前記ボタン情報生成部は、受信したデータ放送に基づいて前記ボタン情報を生成する
請求項１３に記載の表示装置。
【請求項１５】
前記ボタン情報の記述言語は、前記受信したデータ放送の記述言語と同じである
請求項１４に記載の表示装置。
【請求項１６】
前記ボタン情報はＢＭＬで記述されている
請求項１３から請求項１５のいずれか一項に記載の表示装置。
【請求項１７】
前記表示部は、外部機器に接続するためのインターフェースを備え、
前記ボタン情報生成部は、前記外部機器への接続に基づいて前記ボタン情報を生成する
請求項１３から請求項１６のいずれか一項に記載の表示装置。
【請求項１８】
表示装置を操作するための、操作卓的に配置された１または複数の操作ボタンの操作に関連したボタン情報をその表示装置から受信し、
前記ボタン情報に基づいて前記操作ボタンの表示を行い、
ユーザによる前記操作ボタンの操作に応じて、前記表示装置を操作するための制御信号を前記表示装置に送信する
表示装置の操作方法
【手続補正２】
【補正対象書類名】明細書
【補正対象項目名】００１２
【補正方法】変更
【補正の内容】
【００１２】
例えば、ボタン情報はＢＭＬで記述されていてもよい。また、操作端末装置はモバイル端末が望ましい。また、例えば、操作端末装置は、リモートコントロールモードを含む複数の動作モードを有していてもよい。この場合、このリモートコントロールモードにおいて、例えば、表示部は、１または複数の操作ボタンを表示し、送受信部は、ボタン情報を表示装置から受信し、制御部は、ボタン情報に基づいて操作ボタンの表示を制御するのが望ましい。例えば、表示装置がテレビ受像機である場合には、操作ボタンは、テレビ放送の規格に対応したものであってもよい。また、例えば、ボタン情報は、操作ボタンに表示されるラベルを含むのが望ましい。
【手続補正３】
【補正対象書類名】明細書
【補正対象項目名】００１３
【補正方法】変更
【補正の内容】
【００１３】
本発明の表示装置では、例えば、表示装置はテレビ受像機であり、ボタン情報生成部は、受信したデータ放送に基づいてボタン情報を生成するようにしてもよい。この場合、ボタン情報の記述言語は、例えば、受信したデータ放送の記述言語と同じであることが望ましい。ボタン情報は、例えば、ＢＭＬで記述されていてもよい。また、例えば、表示部は、外部機器に接続するためのインターフェースを備え、ボタン情報生成部は、外部機器への接続に基づいてボタン情報を生成するようにしてもよい。
【手続補正４】
【補正対象書類名】明細書
【補正対象項目名】００１８
【補正方法】変更
【補正の内容】
【００１８】
表示装置システム１は、表示装置１０と、モバイル機器２０とを備えている。表示装置１０は、この例では、後述するように、アンテナにおいて受信したテレビ放送を表示する表示装置である。モバイル機器２０は、携帯電話、ＰＤＡ（Personal Digital Assistant）、携帯型音楽プレーヤなどの電子機器であり、表示部２１およびタッチパネル２２を有するものである。モバイル機器２０は、表示装置１０を操作するためのリモコンモードを有しており、このリモコンモードに切り替えることにより、表示部２１にリモコンの操作ボタンが表示され、ユーザがその操作ボタンをタッチすることにより表示装置１０を操作できるようになっている。表示装置１０およびモバイル機器２０は、互いに情報をやりとりできる通信手段Ａを有している。モバイル機器２０がリモコンモードになっている場合には、モバイル機器２０は、この通信手段Ａを使用してリモコン信号Ｒを表示装置１０に送信する。また、表示装置１０は、後述するように、モバイル機器２０の表示部２１に表示可能な操作ボタンに関する情報を、この通信手段Ａを使用してモバイル機器２０に送信するようになっている。通信手段Ａは、例えば、ワイヤレスＬＡＮ（Local Area Network）、ZigBee（登録商標）、Bluetooth（登録商標）などの無線通信が使用可能である。なお、表示装置１０およびモバイル機器２０との間の通信手段は、この例では無線通信としたが、これに限定されるものではなく、例えばＬＡＮ、ＵＳＢ（Universal Serial Bus）などの有線通信であってもよい。
【手続補正５】
【補正対象書類名】明細書
【補正対象項目名】００１９
【補正方法】変更
【補正の内容】
【００１９】
図２は、表示装置１０の一構成例を表すものである。表示装置１０は、信号処理部３０と、表示駆動部１１と、表示部１２と、音声増幅部１３と、スピーカ１４とを備えている。
【手続補正６】
【補正対象書類名】明細書
【補正対象項目名】００３５
【補正方法】変更
【補正の内容】
【００３５】
図４は、リモコンモードにおけるモバイル機器２０の表示画面の一例を表すものである。リモコンモードでは、モバイル機器２０は、例えば、図４に示したように、様々な操作ボタンを表示画面６０に表示するようになっている。操作ボタンは、例えば、電源ボタン６１、放送切換ボタン部６２、数字ボタン部６３、音量ボタン部６４、データ放送ボタン６５、カラーボタン部６６、上下左右ボタン部６７などから構成される。電源ボタン６１は、表示装置１０の電源のオンオフを操作するものである。放送切換ボタン部６２は、受信する放送を選択するためのものであり、この例では、地上波アナログ放送、地上波デジタル放送、ＢＳ放送、およびＣＳ放送から選択するようになっている。数字ボタン部６３は、チャンネルを切り換え、あるいは数字を入力するためのものである。音量ボタン部６４は、表示装置１０の音量を調整するためのものである。データ放送ボタン６５は、受信した放送波信号にデータ放送が含まれている場合において、そのデータ放送の表示および非表示を操作するものである。カラーボタン部６６は、機能などを選択するためのものであり、例えば、データ放送を表示している場合においてメニューを選択し、あるいは録画再生機器がＨＤＭＩ端子ＴＨに接続されている場合においてこの録画再生機器を操作するためにも用いられる。上下左右ボタン部６７は、例えば表示装置１０の表示画面に表示されたカーソルを移動するために用いられるものである。また、この上下左右ボタン部６７は、例えば録画再生機器がＨＤＭＩ端子ＴＨに接続されている場合において、この録画再生機器を操作するためにも用いられる。このように、例えばカラーボタン部６６や上下左右ボタン部６７などは、状況に応じて様々な機能が割り当てられるものである。
【手続補正７】
【補正対象書類名】明細書
【補正対象項目名】００３６
【補正方法】変更
【補正の内容】
【００３６】
リモコンモードでは、モバイル機器２０は、フラッシュＲＯＭ２５に格納されたプログラムに基づき、表示部２１に図４に示したような操作ボタンを表示し、ユーザの操作に基づいて無線通信部２３がリモコン信号Ｒを表示装置１０に対して送信するようになっている。なお、この例では、このリモコン操作のためのプログラムはフラッシュＲＯＭ２５に格納されているものとしたが、これに限定されるものではなく、例えば、そのプログラムの全部もしくはその一部を、電源投入時などに表示装置１０から送信するようにしてもよい。
【手続補正８】
【補正対象書類名】明細書
【補正対象項目名】００３８
【補正方法】変更
【補正の内容】
【００３８】
ここで、モバイル機器２０は、本発明における「操作端末装置」の一具体例に対応する。電源ボタン６１、放送切換ボタン部６２、数字ボタン部６３、音量ボタン部６４、データ放送ボタン６５、カラーボタン部６６、および上下左右ボタン部６７は、本発明における「操作ボタン」の一具体例に対応する。リモコン信号Ｒは、本発明における「制御信号」の一具体例に対応する。無線通信部２３は、本発明における操作端末装置の「送受信部」の一具体例に対応する。制御部２４（コマンド解析部２６）は、本発明における「制御部」の一具体例に対応する。
【手続補正９】
【補正対象書類名】明細書
【補正対象項目名】００４３
【補正方法】変更
【補正の内容】
【００４３】
モバイル機器２０では、表示部２１は、リモコンモードにおいて、表示装置１０を操作するための操作ボタンを表示する。タッチパネル２２は、ユーザによる情報入力を受け付ける。制御部２４は、ユーザの操作に基づいてリモコン信号Ｒを生成し、無線通信部２３は、そのリモコン信号Ｒを、通信手段Ａを用いて表示装置１０に対して送信する。また、無線通信部２３は、表示装置１０から表示制御コマンドＣを受信する。制御部２４のコマンド解析部２６は、この表示制御コマンドＣを解析し、表示部２１における操作ボタンの表示を制御する。
【手続補正１０】
【補正対象書類名】明細書
【補正対象項目名】００６４
【補正方法】変更
【補正の内容】
【００６４】
［変形例１］
上記実施の形態では、受信番組がデータ放送に対応している場合にモバイル機器２０に対して表示制御コマンドＣを送信するようにしたが、これに限定されるものではなく、データ放送に対応していない場合にも表示制御コマンドＣを送信するようにしてもよい。例えば、受信番組がデータ放送に対応していない場合に、その旨を示す表示制御コマンドＣを送信することにより、図８に示したように、図４に示したデータ放送ボタン６５やカラーボタン部６６を非表示にすることができる。すなわち、操作できないボタンを非表示にすることにより、ユーザにとってより分かり易い操作を実現することができる。
【手続補正１１】
【補正対象書類名】明細書
【補正対象項目名】００６８
【補正方法】変更
【補正の内容】
【００６８】
図１０は、リモコンモードにおけるモバイル機器２０の表示画面の一例を表すものである。外部機器７０が接続された場合、モバイル機器２０は、例えば、図１０に示したように、外部機器７０を操作するための外部機器ボタン部６８を表示する。表示装置システム１では、外部機器７０が表示装置１０に接続されると、その外部機器７０に関する情報がモバイル機器２０に対して送信され、図１０に示したように、モバイル機器２０の表示画面６０に外部機器ボタン部６８が表示される。
【手続補正１２】
【補正対象書類名】明細書
【補正対象項目名】００７１
【補正方法】変更
【補正の内容】
【００７１】
次に、表示装置１０は、ＨＤＭＩ端子ＴＨに外部機器７０が接続されているかどうかを確認する（ステップＳ２２）。外部機器７０が接続されている場合にはステップＳ２３に進み、外部機器７０が接続されていない場合にはステップＳ２１に戻る。
【手続補正１３】
【補正対象書類名】明細書
【補正対象項目名】００７２
【補正方法】変更
【補正の内容】
【００７２】
次に、表示装置１０は、表示制御コマンドＣを生成する（ステップＳ２３）。具体的には、ＣＰＵ５１のコマンド生成モジュール５１Ｍが、表示装置１０に接続された外部機器７０の種類などに基づいて表示制御コマンドＣを生成する。
【手続補正１４】
【補正対象書類名】明細書
【補正対象項目名】００７７
【補正方法】変更
【補正の内容】
【００７７】
次に、表示装置１０は、外部機器７０に対してＣＥＣ制御信号を送信する（ステップＳ３０）。具体的には、表示装置１０のＣＰＵ５１は、受信したリモコン信号Ｒを解析し、その解析結果に基づいてＣＥＣ制御信号を生成し、ＨＤＭＩインターフェース３７を介して、そのＣＥＣ制御信号を外部機器７０に対して送信する。外部機器７０では、このＣＥＣ制御信号に基づいて処理が行われる。
【手続補正１５】
【補正対象書類名】明細書
【補正対象項目名】００８４
【補正方法】変更
【補正の内容】
【００８４】
このように、手元のモバイル機器２０に操作に関する表示を行うことにより、ユーザは、表示装置１０の表示画面を確認することなくモバイル機器２０だけを見ることにより表示装置を操作することができる。また、例えば、モバイル機器２０のみにこの表示を行い、表示装置１０の表示画面にはこの表示を行わないようにした場合には、ユーザは、表示装置１０において、この操作の表示に邪魔されることなくコンテンツを見ることができる。